(57)【特許請求の範囲】
【請求項１】
ヒータによって加熱されるベースと、前記ベースの上方に配設した把手と、前記ヒータに給電するためのコードと、前記把手の後部に取着し、かつ、前記コードを出没自在に収納するコードリール装置とを具備し、前記コードリール装置は、前記コードを巻き取るリールと、前記リールを回動自在に収容し、アイロンを自立状態に設置するときの支持面となる一方のリールケースの外周縁の形状を円状に形成した複数のリールケースと、前記リールケースの上部に設けたコードの出口とを有し、前記円状のリールケースの外周縁の内方で、前記コードの前記リールに巻き取られた部分から前記出口までの間に空間を形成する方向に前記リールの回転軸部を前記円状のリールケースの中心部からずらし、前記空間に前記複数のリールケースを結合する結合部を配設したアイロン。
【請求項２】
コードリール装置は、リールケースによりリールを回動自在に軸支するとともに、前記リールケースの底部に開口部を設け、前記コードリール装置の把手側に配置したリールケースの前記開口部の近傍に切欠部を設けた請求項１記載のアイロン。
【請求項３】
コードリール装置は、複数のリールケースの背面形状を円状とした少なくとも１つを透明または半透明に形成し、側面および後面から内部を透視可能にした請求項１または２記載のアイロン。
【発明の詳細な説明】
【０００１】
【発明の属する技術分野】
本発明は衣類等のしわ伸ばしを行なうアイロンに関するものである。
【０００２】
【従来の技術】
従来、この種のアイロンは、図８および図９に示すように構成されていた。以下、その構成について説明する。図において、ヒータ１を埋設しているベース２と、このベース２の上方に配設された把手３と、この把手３の後部にコード４を巻き取るコードリール装置５を設けている。前記コードリール装置５は、アイロンがけに必要な約２ｍ程度の長さのコード４をコンパクトに、かつ、スムーズに巻き取るために、コード４が複数列に巻けるように幅広く形成してあり、前後一対のリールケース６ａ、６ｂによってコード４を巻き取るリール７を回動自在に軸支するとともに、ぜんまい８によってリール７をコード４が巻き取られる方向に付勢している。
【０００３】
【発明が解決しようとする課題】
しかしながら、上記コードリール装置５は、リールケース６ａ、６ｂの形状が上下方向に長く、左右の側面にカバー９を設けて多角形状に形成しているため、リール７に巻き取られたコード４とリールケース６ａ、６ｂの内壁との隙間を、部分的に小さくすることができるが、リール７の回転軸を中心として円状に巻き取られるコード４との間に余分な空間を形成され、結果的にコードリール装置５が大型化するという問題があった。
【０００４】
本発明は上記課題を解決するもので、コードの巻き取りを円滑にしてコードリール装置を小型化することを目的としている。
【０００５】
【課題を解決するための手段】
本発明は上記目的を達成するために、コードリール装置は、前記コードを巻き取るリールと、前記リールを回動自在に収容し、アイロンを自立状態に設置するときの支持面となる一方のリールケースの外周縁の形状を円状に形成した複数のリールケースと、前記リールケースの上部に設けたコードの出口とを有し、前記円状のリールケースの外周縁の内方で、前記コードの前記リールに巻き取られた部分から前記出口までの間に空間を形成する方向に前記リールの回転軸部を前記円状のリールケースの中心部からずらし、前記空間に前記複数のリールケースを結合する結合部を配設したものである。
【０００６】
これにより、背面形状を円状としたリールケースによってコードを巻き取ったリールを覆うため、コードとリールケースとの間に無駄な空間がなく、コードの巻き取りを円滑にしてコードリール装置を小型化することができる。
【０００７】
【発明の実施の形態】
本発明の請求項１に記載の発明は、ヒータによって加熱されるベースと、前記ベースの上方に配設した把手と、前記ヒータに給電するためのコードと、前記把手の後部に取着し、かつ、前記コードを出没自在に収納するコードリール装置とを具備し、前記コードリール装置は、前記コードを巻き取るリールと、前記リールを回動自在に収容し、アイロンを自立状態に設置するときの支持面となる一方のリールケースの外周縁の形状を円状に形成した複数のリールケースと、前記リールケースの上部に設けたコードの出口とを有し、前記円状のリールケースの外周縁の内方で、前記コードの前記リールに巻き取られた部分から前記出口までの間に空間を形成する方向に前記リールの回転軸部を前記円状のリールケースの中心部からずらし、前記空間に前記複数のリールケースを結合する結合部を配設したものであり、リールに巻き取られたコードとリールケースとの隙間を全周に亘って小さくすることができ、リールケース内の無駄な空間をなくして、コードリール装置の小型化を促進することができるとともに、コードのリールに巻き取られた部分からコードの出口までの間に、コードの引き出しと巻き取りを円滑に行うための必要かつ十分な空間を確保して、操作性をよくすることができる。
【０００８】
また、リールとコードの出口間に形成された空間を活用して結合することができ、結合をリールケースの外周部より外方へ突出させることなくコードリール装置を小型化することができる。
【０００９】
請求項２に記載の発明は、上記請求項１に記載の発明において、コードリール装置は、リールケースによりリールを回動自在に軸支するとともに、前記リールケースの底部に開口部を設け、前記コードリール装置の把手側に配置したリールケースの前記開口部の近傍に切欠部を設けたものであり、リールにコードを巻き取った状態でのコードリール装置内への外気の流入を容易にして、コードリール装置内の温度を低く維持することができる。
【００１０】
請求項３に記載の発明は、上記請求項１または２に記載の発明において、コードリール装置は、複数のリールケースの背面形状を円状とした少なくとも１つを透明または半透明に形成し、側面および後面から内部を透視可能にしたものであり、コードが巻き取りの途中で停止して最後まで巻き取られない場合でも、コードがリールケースの内面と接触している状態を外から容易に視認することができ、リールに偏って巻き取られているコードの巻き直し操作を行うことで、コードリール装置の小型化を促進することができる。
【００１１】
【実施例】
以下、本発明の実施例について、図面を参照して説明する。
【００１２】
（実施例１）
図１〜図７に示すように、１は埋設したヒータ２によって加熱されるベースで、このベース１の上方に配設した把手３の後部にコードリール装置４を取着している。コードリール装置４は、ヒータ２に給電するためのコード５と、このコード５を巻き取るリール６と、このリール６を回動自在に収容する複数のリールケース７ａ、７ｂを有し、コードリール装置４がアイロンを自立状態に設置するときの支持面となる一方のリールケース７ａの背面形状を円状に形成している。
【００１３】
コードリール装置４は、アイロンがけに必要な長さ、例えば２ｍ程度の長さを有したコード５を巻き取るために、コード５の巻き取りをスムーズに行ない、かつ、コード５が複数列に巻けるように、リール６の幅を広く形成してその外周を円状にしている。リール６は、リールケース７ａ、７ｂの対向部を内方へ突出させ、ねじ８により結合して形成した軸部７ｃに回転自在に保持して、リール６の回転軸部イを構成するとともに、外周形状を円状に形成したリールケース７ａの中心部ロが、リール６の回転軸部イより上方に位置するように上方へずらせている。
【００１４】
９はリールケース７ａの軸部７ｃを囲むようにリールケース７ａとリール６との間に設けたぜんまいで、リール６をコード５の巻き取り方向へ付勢している。１０ａ、１０ｂはリール６に取り付けた環状の電極板で、コード５の一端が接続されており、この電極板１０ａ、１０ｂと相対向するリールケース７ｂに取り付けられた摺動ブラシ１１ａ、１１ｂは、ばね性を有した金属材料で電極板１０ａ、１０ｂに押し付けられるように構成され、環状の電極板１０ａ、１０ｂと２ヵ所で接触する接点１２を有している。
【００１５】
１３はコード５をぜんまい９の付勢力に抗して任意の長さに引き出した状態に保持するロック装置で、ロック金具１４の一端をリール６に形成したストッパー部１５に係止するとともに、ばね１６によってロックする方向へ付勢している。１７はロック装置１３を操作する巻取釦で、リールケース７ａの上部の把手３側に配設しており、ばね１８によってロック装置１３から離れる方向へ付勢され、ロック金具１４を押し下げる押圧部１７ａを一体に形成している。
【００１６】
リールケース７ａ、７ｂは、複数の結合部１９によって結合してあり、その１つはねじ８により軸部７ｃで結合し、他の結合部１９は、プラグ２０を有したコード５の出口２１の近傍に設けてあり、結合部１９の少なくとも１つは、コード５の出口２１側に位置し、背面形状を円状としたリールケース７ａの外周縁の内方に配設している。そして、リールケース７ａは透明または半透明の樹脂により形成してあり、側面および後面から内部を透視可能にしている。
【００１７】
リールケース７ｂの底部２２には開口部２３が設けてあり、コードリール装置４の把手３側に配置したリールケース７ｂには、開口部２３の近傍に切欠部２４が設けてあり、リール６の外周に沿って円弧状に切り欠いている。
【００１８】
上記構成において作用を説明すると、アイロン使用後は、巻取釦１７をばね１８の付勢力に抗して押圧して押圧部１７ａをロック金具１４に当接し、さらに、ばね１６の付勢力に抗してロック金具１４がストッパー部１５から外れるまで押し下げると、リール６はぜんまい９の付勢力によってコード５を巻き取る方向へ回転し、コードリール装置４から任意の長さに引き出されていたコード５を出口２１から引き込み、プラグ２０が出口２１に位置するまでリール６に巻き取る。
【００１９】
このとき、リールケース７ａの背面形状を円状に形成しているため、リールケース７ａの内壁とリール６に円状に巻き付けられるコード５との間に無駄な空間が形成されることがなく、コード５を複列でスムーズにリール６に巻き取ることができるとともに、コードリール装置４の小型化を促進することができる。
【００２０】
また、リールケース７ａの中心部ロがリール６の回転軸部イより上方に位置するようにしているため、コード５のリール６に巻き取られた部分からコード５の出口２１までの間に、コードの引き出しと巻き取りを円滑に行うための必要かつ十分な空間２５を生成することができる。
【００２１】
また、複数のリールケース７ａ、７ｂを結合する複数の結合部８、１９の少なくとも１つは、コード５の出口２１側に位置してリールケース７ａの円状外周縁の内方に配設してあり、リール６とコード５の出口２１間に形成された空間２５を有効に活用して強固に結合することができる。
【００２２】
また、コードリール装置４の把手３側に配置したリールケース７ｂに、底部に設けた開口部２３の近傍に切欠部２４を設けてあり、リール６にコード５を所定量を巻き取った状態で使用された場合でも、コードリール装置４内へ外気を容易に流入させることができるため、通電によるコード５の発熱等によるコードリール装置４内の温度を低く維持することができる。
【００２３】
また、背面形状を円状としたリールケース７ａを透明または半透明に形成し、側面および後面から内部を透視可能にしてあり、コード５がリール６に偏って巻き取られて、部分的に巻き取られたコード５の巻き取り径が大きくなり、巻き取り操作の途中で停止して最後まで巻き取られないという事態が生じた場合でも、コード５がリールケース７ａの内面と接触している状態を外から容易に視認することができ、コード５の巻き直し操作を行うことで、コードリール装置４を使い勝手のよい大きさに小型化することができる。
【００２４】
【発明の効果】
本発明の請求項１に記載の発明によれば、ヒータによって加熱されるベースと、前記ベースの上方に配設した把手と、前記ヒータに給電するためのコードと、前記把手の後部に取着し、かつ、前記コードを出没自在に収納するコードリール装置とを具備し、前記コードリール装置は、前記コードを巻き取るリールと、前記リールを回動自在に収容し、アイロンを自立状態に設置するときの支持面となる一方のリールケースの外周縁の形状を円状に形成した複数のリールケースと、前記リールケースの上部に設けたコードの出口とを有し、前記円状のリールケースの外周縁の内方で、前記コードの前記リールに巻き取られた部分から前記出口までの間に空間を形成する方向に前記リールの回転軸部を前記円状のリールケースの中心部からずらし、前記空間に前記複数のリールケースを結合する結合部を配設したから、コードリール装置を使い勝手のよい大きさに小型化することができるとともに、コードの引き出しと巻き取りを円滑に行うことができる。
【００２５】
また、複数のリールケースをその外周部より外方へ突出させることなく強固に結合して、コードリール装置を小型化することができる。
【００２６】
また、請求項２に記載の発明によれば、コードリール装置は、リールケースによりリールを回動自在に軸支するとともに、前記リールケースの底部に開口部を設け、前記コードリール装置の把手側に配置したリールケースの前記開口部の近傍に切欠部を設けたから、コードリール装置内への外気の流入を容易にして、コードリール装置内の温度を低く維持することができる。
【００２７】
また、請求項３に記載の発明によれば、コードリール装置は、複数のリールケースの背面形状を円状とした少なくとも１つを透明または半透明に形成し、側面および後面から内部を透視可能にしたから、コードの巻き取り状態をコードリール装置の背面側から容易に視認することができる。
【図面の簡単な説明】
【図１】  本発明の実施例１のアイロンの一部を断面で示した側面図
【図２】  同アイロンの一部切欠した要部断面図
【図３】  同アイロンのコードリール装置の後面図
【図４】  同アイロンのコードリール装置の前面図
【図５】  同アイロンのコードリール装置のＡ−Ａ断面図
【図６】  同アイロンのコードリール装置のＢ−Ｂ断面図
【図７】  同アイロンのコードリール装置のＣ−Ｃ断面図
【図８】  従来のアイロンの一部切欠した断面図
【図９】  同アイロンのコードリール装置の前面図
【符号の説明】
１  ベース
２  ヒータ
３  把手
４  コードリール装置
５  コード
６  リール
７ａ  リールケース
７ｂ  リールケース
【図１】
0003656582.tif 000002
【図２】
0003656582.tif 000003
【図３】
0003656582.tif 000004
【図４】
0003656582.tif 000005
【図５】
0003656582.tif 000006
【図６】
0003656582.tif 000007
【図７】
0003656582.tif 000008
【図８】
0003656582.tif 000009
【図９】
0003656582.tif 000010